(57)【要約】      （修正有）【課題】良好な防水性能を有する第１の電気コネクタと、第１の電気コネクタを有する電気コネクタアセンブリとを提供する。【解決手段】第１の電気コネクタ１は、ベース本体１１と、複数の第１の導電性部材１２と、２つの第１の磁気吸引部材１３と、弾性防水部材１４とを備え、複数の第１の導電性部材は、ベース本体に固定され、それぞれの第１の導電性部材は、ベース本体の上面を越えて上方に延在する嵌合端部と、下方に延在する尾端部とを有し、２つの第１の磁気吸引部材は、ベース本体に固定され、複数の第１の導電性部材の両側にそれぞれ配置され弾性防水部材は、ベース本体の上面に固定され、弾性防水部材には、複数の貫通孔１４３が設けられ、複数の第１の導電性部材の嵌合端部は、それに対応して複数の貫通孔を貫通し、上方に突出する。電気コネクタアセンブリは、第１の電気コネクタと、それと協働するように適合された第２の電気コネクタ３とを備える。【選択図】図3
2020109759.tif 000002
【特許請求の範囲】
【請求項１】
第１の電気コネクタであって、
ベース本体と、
該ベース本体に固定された複数の第１の導電性部材であって、それぞれの第１の導電性部材は、前記ベース本体の上面を越えて上方に延在する嵌合端部と、下方に延在する尾端部と、を有する、複数の第１の導電性部材と、
前記ベース本体に固定され、前記複数の第１の導電性部材の両側にそれぞれ配置された、２つの第１の磁気吸引部材と、を備え、
前記第１の電気コネクタは、
前記ベース本体の前記上面に固定された弾性防水部材であって、該弾性防水部材には、複数の貫通孔が設けられ、前記複数の第１の導電性部材の嵌合端部は、それに対応して、前記複数の貫通孔を貫通し、上方に突出している、弾性防水部材を更に備える、第１の電気コネクタ。
【請求項２】
前記弾性防水部材が、主本体と、該主本体に一体的に形成された複数の突出部と、を含み、それぞれの突出部は、それに対応して１つの貫通孔を取り囲み、かつ前記主本体から上方に突出している、請求項１に記載の第１の電気コネクタ。
【請求項３】
前記弾性防水部材が、主本体と、該主本体に一体的に形成された突出部と、を含み、該突出部は、前記主本体の周辺に沿って設けられ、かつ前記突出部が前記複数の貫通孔を内部に取り囲むように、前記主本体から上方に突出している、請求項１に記載の第１の電気コネクタ。
【請求項４】
前記突出部の上端部が、前記第１の磁気吸引部材の上面を越えて上方に延在している、請求項２又は３に記載の第１の電気コネクタ。
【請求項５】
前記ベース本体の上面の中央部に凹溝が設けられ、前記複数の第１の導電性部材の嵌合端部は前記凹溝内に位置付けられ、前記弾性防水部材は前記凹溝に充填されている、請求項１〜３のいずれか１項に記載の第１の電気コネクタ。
【請求項６】
受容溝が前記上面の２つの側のそれぞれに設けられ、前記受容溝内に少なくとも１つの固定突出ポストが設けられ、
前記第１の磁気吸引部材は、鉄片であり、上下方向に沿って貫通する少なくとも１つの固定孔が設けられ、前記第１の磁気吸引部材は、前記受容溝内に固定され、前記固定突出ポストは、それに対応して前記固定孔内に延在し、前記第１の磁気吸引部材と共に締結されている、請求項１〜３のいずれか１項に記載の第１の電気コネクタ。
【請求項７】
前記弾性防水部材の前記貫通孔及び前記第１の導電性部材が、互いに水密に協働する、請求項１〜３のいずれか１項に記載の第１の電気コネクタ。
【請求項８】
前記複数の第１の導電性部材が、前記ベース本体の中心点に対して対称に配置されている、請求項１〜３のいずれか１項に記載の第１の電気コネクタ。
【請求項９】
前記複数の第１の導電性部材が、矩形形状に配置された複数のポスト部材であり、矩形形状の中心線と前記ベース本体の中心線との間に間隔が存在している、請求項８に記載の第１の電気コネクタ。
【請求項１０】
前記ベース本体の上面に、前記複数の第１の導電性部材の側面において下方に陥凹した位置決め凹溝が設けられており、該位置決め凹溝の底面は、前記第１の磁気吸引部材の上面よりも低い、請求項１〜３のいずれか１項に記載の第１の電気コネクタ。
【請求項１１】
第１の電気コネクタ及び第２の電気コネクタを備える電気コネクタアセンブリであって、
前記第２の電気コネクタは、ハウジングと、該ハウジングに固定された複数の第２の導電性部材と、該複数の第２の導電性部材の両側にそれぞれ配置された２つの第２の磁気吸引部材と、を備え、
前記第１の電気コネクタは、請求項１〜１０のいずれか１項に記載の第１の電気コネクタであり、
該第１のコネクタの第１の磁気吸引部材及び前記第２のコネクタの第２の磁気吸引部材は、前記第１の導電性部材と前記第２の導電性部材との間の電気的接続を維持するために磁気吸引されている、電気コネクタアセンブリ。
【請求項１２】
前記２つの第２の磁気吸引部材が、同じ磁極方向に配置された２つの磁石であり、前記複数の第２の導電性部材はポゴピンである、請求項１１に記載の電気コネクタアセンブリ。
【請求項１３】
前記複数の第２の導電性部材が、前記ハウジングの一方の側に偏倚するように配置されている、請求項１１に記載の電気コネクタアセンブリ。
【請求項１４】
前記ハウジングに、前記複数の第２の導電性部材が偏倚する前記一方の側に対して、前記ハウジングの他方の側で上方に突出している位置決め突出部が設けられる、請求項１３に記載の電気コネクタアセンブリ。
【発明の詳細な説明】
【技術分野】
【０００１】
本開示は、電気コネクタの分野に関し、特により良好な防水性能を有する第１の電気コネクタ、及び電気コネクタアセンブリに関する。
【背景技術】
【０００２】
中国実用新案第２０６９９２４０６Ｕ号は、磁気吸引で充電し、データを伝送するためのコネクタを開示しており、コネクタは雄型ヘッダ及び雌型ヘッダを含み、雄型ヘッダ及び雌型ヘッダは取り外し可能に接続され、雄型ヘッダは、雄型ヘッダプラスチックハウジング、ポゴピン、及び磁気ヘッドを含む。ポゴピンは、水平面に対して垂直であり、かつ雄型ヘッダプラスチックハウジングの中心位置に設けられ、磁気ヘッドは、雄型ヘッダプラスチックハウジング内に設けられ、かつポゴピンの両側に位置付けられる。雌型ヘッダは、雌型ヘッダプラスチックハウジング、ＰＩＮ針、及び磁気ヘッドを含み、ＰＩＮ針は、水平面に対して垂直であり、かつ雌型ヘッダプラスチックハウジングの中心位置に設けられ、磁気ヘッドは、雌型プラスチックハウジング内に設けられ、かつＰＩＮ針の両側に位置付けられる。雄型ヘッダ及び雌型ヘッダが装着された後、ポゴピンは、ＰＩＮ針と接触する。雄型ヘッダプラスチックハウジング内に設けられる磁気ヘッドは、雌型ヘッダプラスチックハウジング内に設けられる磁気ヘッドに対応する。雌型ヘッダプラスチックハウジングの外側には、雌型ヘッダ防水リングの少なくとも２つの層が更に設けられる。
【０００３】
このような設計のコネクタでは、雌型ヘッダの一部分の外周に防水リングが設けられ、この部分を使用して雄型ヘッダと嵌合される。雌型ヘッダを採用するデバイスの場合、デバイスのケーシングは、大きな開口部を開けて、雌型ヘッダが外向きに延在することを可能にする必要があり、それがケーシングの一体性を破壊し、ケーシングの全体的な構造強度及び美しさに影響を及ぼし、防水性能は良好ではなく、更に改善されることを必要とする。
【発明の概要】
【０００４】
本開示によって解決される技術的問題は、上記の先行技術の欠点を克服するために、より良好な防水性能を有する第１の電気コネクタと、第１の電気コネクタを有する電気コネクタアセンブリと、を提供することである。
【０００５】
本開示の一態様によれば、本開示は、ベース本体と、複数の第１の導電性部材と、２つの第１の磁気吸引部材と、弾性防水部材と、を備える、第１の電気コネクタを提供する。複数の第１の導電性部材は、ベース本体に固定され、それぞれの第１の導電性部材は、ベース本体の上面を越えて上方に延在する嵌合端部と、下方に延在する尾端部と、を有する。２つの第１の磁気吸引部材は、ベース本体に固定され、複数の第１の導電性部材の両側にそれぞれ配置される。弾性防水部材はベース本体の上面に固定され、弾性防水部材には複数の貫通孔が設けられ、複数の第１の導電性部材の嵌合端部は、それに対応して複数の貫通孔を貫通し、上方に突出する。
【０００６】
本開示の別の態様によれば、本開示は、第２の電気コネクタと、上記のような第１の電気コネクタと、を備える電気コネクタアセンブリを提供する。第２の電気コネクタは、ハウジングと、ハウジングに固定された複数の第２の導電性部材と、複数の第２の導電性部材の両側にそれぞれ配置された２つの第２の磁気吸引部材と、を含む。第１の電気コネクタの第１の磁気吸引部材と、第２の電気コネクタの第２の磁気吸引部材とは、第１の導電性部材と第２の導電性部材との間の電気的接続を維持するために磁気吸引される。
【０００７】
先行技術と比較して、本開示は少なくとも、本開示の第１の電気コネクタが電子デバイスに適用されるとき、それぞれの第１の導電性部材の嵌合端部のみが電子デバイスのケーシングから外に延在し、電子デバイスのケーシングは、それぞれの第１の導電性部材の嵌合端部のための貫通孔を開いて、外側に露出させるだけでよいという利点を有する。先行技術と比較して、実施形態の第１の電気コネクタを使用するとき、電子デバイスのケーシング上の開口部をより小さく設定することができ、これは、ケーシングの全体的な構造強度を向上させ、外面を滑らかかつ美しい状態に維持し、外部水蒸気が電子デバイスの内部に浸入する手段を低減させるために有益である。また、同時に、弾性防水部材は、電子デバイスのケーシングの内面に当接して、外部水蒸気を遮断し、外部水蒸気が電子デバイスの内部に浸入するのを効果的に防止し、それにより、電子デバイスの防水機能を改善し得る。
【図面の簡単な説明】
【０００８】
【図１】本開示の電気コネクタアセンブリの第１の実施形態の斜視図である。
【図２】別の角度からの電気コネクタアセンブリの第１の実施形態の斜視図である。
【図３】図２の電気コネクタアセンブリの分解斜視図である。
【図４】別の角度からの図２の電気コネクタアセンブリの分解斜視図である。
【図５】図２の第１の電気コネクタの側面図である。
【図６】円Ｍによって示された図５の部分拡大断面図である。
【図７】図５の上面図である。
【図８】本開示の電気コネクタアセンブリの第２の実施形態の斜視図である。
【図９】別の角度からの電気コネクタアセンブリの第２の実施形態の斜視図である。
【図１０】図８の第１の電気コネクタの上面図である。
【図１１】本開示の電気コネクタアセンブリの第３の実施形態の斜視図である。
【図１２】図１１の第１の電気コネクタの側面図である。
【図１３】図１１の電気コネクタアセンブリの分解斜視図である。
【図１４】別の角度からの図１１の電気コネクタアセンブリの分解斜視図である。
【図１５】図１１の電気コネクタアセンブリの使用状態の概略図である。
【図１６】図１５の分解斜視図である。
【図１７】別の角度からの図１５の分解斜視図である。
【符号の説明】
【０００９】
参照番号は、以下のように表されている。
【００１０】
１、１ａ、１ｂ  第１の電気コネクタ
１１、１１ａ、１１ｂ  ベース本体
１１１、１１１ｂ  受容溝
１１２、１１２ｂ  固定突出ポスト
１１３、１１３ａ  凹溝
１１４ｂ  位置決め凹溝
１２、１２ａ、１２ｂ  第１の導電性部材
１２１、１２１ｂ  嵌合端部
１２２  尾端部
１３、１３ａ、１３ｂ  第１の磁気吸引部材
１３１、１３１ｂ  固定孔
１３２ｂ  位置決め孔
１４、１４ａ、１４ｂ  弾性防水部材
１４１、１４１ｂ  主本体
１４２  突出部
１４３、１４３ｂ  貫通孔
１４４ｂ  突出部
２、２ｂ  回路基板
２１ｂ  位置決め貫通孔
３、３ａ、３ｂ  第２の電気コネクタ
３１、３１ａ、３１ｂ  ハウジング
３１１  予備孔
３１２  端子孔
３１３  収容溝
３１４ｂ  位置決め突出部
３２、３２ａ、３２ｂ  第２の導電性部材
３３、３３ａ、３３ｂ  第２の磁気吸引部材
５ｂ  ケーシング
５１ｂ  位置決め突出ポスト
５２ｂ  貫通孔
５４ｂ  沈み溝
【発明を実施するための形態】
【００１１】
本開示は、異なる形態の実施形態が可能であり、具体的な実施形態が図面で示され、また本明細書で詳細に説明されるが、本開示は、本開示の原理の例証であるとみなされ、本開示を本明細書で説明されるものに限定することを意図しないという理解の下で行われる。
【００１２】
よって、本開示で言及される１つの特徴は、本開示の一実施形態の特徴のうちの１つを説明するために使用され、本開示のそれぞれの実施形態が、説明される特徴を有しなければならないことを含意することを意図しない。加えて、多くの特徴が本明細書に記載されることに留意されたい。特定の特徴を組み合わせて潜在的なシステム設計が例示される場合があるが、これらの特徴は、明示的に表現されていない他の組み合わせにも適用可能である。したがって、説明される組み合わせは、特に指示がない限り、限定的であることを意図しない。
【００１３】
図面に示された実施形態では、本開示のそれぞれの部材の構造及び運動を説明するために使用されている上、下、左、右、前、及び後などの方向を示す表現は、絶対的ではなく、むしろ相対的である。この説明は、これらの部材が図面に示された向きにあるときに好適である。これらの部材の向きが変化する状況では、これらの方向の指示も適宜変化する。
【００１４】
以下、本開示の好ましい実施形態を、本明細書の図面を参照しながら更に詳細に説明する。
【００１５】
第１の実施形態
図１及び図２を参照すると、本実施形態の電気コネクタアセンブリは、第１の電気コネクタ１と、第１の電気コネクタ１に嵌合された第２の電気コネクタ３と、を備える。第１の電気コネクタ１は、好ましくはデバイス端部に装着するために使用され、携帯電話又は電子タバコライターなどの小型電子デバイス内のレセプタクルコネクタに特に好適である。第２の電気コネクタ３は、好ましくは、例えば、充電線又はデータ伝送線などのためのプラグコネクタとして使用されるケーブル端部に装着するために使用される。使用時に、第１の電気コネクタ１及び第２の電気コネクタ３は、互いに嵌合して充電又はデータ伝送を達成する。
【００１６】
説明の便宜上、第１の電気コネクタ１及び第２の電気コネクタ３の端部が互いに嵌合する方向は、「上」と定義され、「上」に対して端部から離れる方向が「下」になる。
【００１７】
図１〜図４を合わせて参照すると、第２の電気コネクタ３は、ハウジング３１と、ハウジング３１に固定された４つの第２の導電性部材３２と、２つの第２の磁気吸引部材３３と、を含む。
【００１８】
ハウジング３１は、射出成形によって絶縁材料から形成され得る。ハウジング３１の中央領域には、上下方向に沿って貫通する４つの端子孔３１２が設けられる。ハウジング３１の上面の２つの側にはそれぞれ、受容溝３１３が設けられる。加えて、４つの端子孔３１２の２つの側にはそれぞれ、予備端子孔又は予備位置決め孔に使用され得る予備孔３１１が更に設けられる。
【００１９】
４つの第２の導電性部材３２は、それに対応して、ハウジング３１の４つの端子孔３１２に挿入されるポゴピンであってもよい。２つの第２の磁気吸引部材３３は、４つの第２の導電性部材３２の両側にそれぞれ位置付けられるように、受容溝３１３内に固定的に挿入される。第２の磁気吸引部材３３は、好ましくは、フェライト磁石又はネオジム鉄ボロン磁石などの磁石である。
【００２０】
図３〜図７を参照すると、第１の電気コネクタ１は、ベース本体１１と、ベース本体１１にそれぞれ固定された４つの第１の導電性部材１２と、２つの第１の磁気吸引部材１３と、弾性防水部材１４と、を備える。
【００２１】
ベース本体１１は、絶縁材料で作製される。ベース本体１１は、実質的に矩形の平行六面体構造を有する。ベース本体１１の上面は、その長さ方向の２つの側のそれぞれで下方に陥凹した受容溝１１１と共に形成され、受容溝１１１は、ベース本体１１の側面を横断方向に貫通し、その結果、ベース本体１１は、中央部分が両側に対して上方に突出している段差構造を形成する。受容溝１１１には、上方に突出している固定突出ポスト１１２が更に設けられ、固定突出ポスト１１２は、受容溝１１１の中央領域に実質的に位置付けられる。
【００２２】
ベース本体１１の上面の中央部分には、下方に陥凹した凹溝１１３が設けられ、凹溝１１３の周囲は閉塞され、凹溝１１３の深さは受容溝１１１の深さよりも小さい。図７に示すように、凹溝１１３は矩形形状を有する。凹溝１１３は、ベース本体１１の中心から幅方向に偏倚し、凹溝１１３の中心線Ｌ２とベース本体１１の中心線Ｌ１との間には間隔が存在する。換言すれば、凹溝１１３は、ベース本体１１の幅方向に非対称に設けられる。すなわち、凹溝１１３は、ベース本体１１の幅方向の一方の側に近接し、ベース本体１１の幅方向の他方の側から相対的に離れている。
【００２３】
図５及び図６を参照すると、第１の導電性部材１２は、好ましくは金属材料のポスト部材である。それぞれの第１の導電性部材１２は、ベース本体１１の中央部分に挿入される。第１の導電性部材１２の主本体部分は、ベース本体１１に固定され、ベース本体１１の上面を越えて上方に延在する嵌合端部１２１と、下方に延在する尾端部１２２と、を有し、尾端部１２２は、好ましくは、ベース本体１１の下面を越えて延在するか、又はベース本体１１の下面と同一平面にある。第１の導電性部材１２は、インサート成形プロセスによってベース本体１１に固定されてもよい。図１及び図２を組み合わせると、使用時に、第１の導電性部材１２の尾端部１２２は、電子デバイスの回路基板２と電気的に接続され、第１の導電性部材１２の嵌合端部１２１は、外向きに延在して電子デバイスの外面上に露出し（図１５を参照）、第２の電気コネクタ３の第２の導電性部材３２と電気的に接続するために使用される。
【００２４】
４つの第１の導電性部材１２は、矩形形状に配置され、それぞれの第１の導電性部材１２の嵌合端部１２１は、凹溝１１３内に位置付けられる。図７を参照すると、４つの第１の導電性部材１２は、凹溝１１３の中央部分に実質的に位置付けられ、ベース本体１１の中心点Ｏに対して非対称に配置される。具体的には、４つの第１の導電性部材１２が配置された矩形形状の中心線は、凹溝１１３の中心線Ｌ２と一致する。すなわち、ベース本体１１の幅方向において、４つの第１の導電性部材１２も中心線Ｌ１から偏倚し、その結果、４つの第１の導電性部材１２は、ベース本体１１の中心点Ｏに対して非対称に配置される（すなわち、左上角の第１の導電性部材１２と右下角の第１の導電性部材１２とは、中心点Ｏに対して非対称であり、右上角の第１の導電性部材１２と左下角の第１の導電性部材１２とは、中心点Ｏに対して非対称である）。４つの第１の導電性部材１２が一方の側に偏倚する配置では、第１の電気コネクタ１と第２の電気コネクタ３とが互いに嵌合したとき、第１の電気コネクタ１と第２の電気コネクタ３とが互いに一方向にのみ適切に嵌合する。換言すれば、第１の導電性部材１２及び第２の導電性部材３２の全ては、それに対応して互いに一方向にのみ電気的に接続され得、それにより、第１の電気コネクタ１及び第２の電気コネクタ３は、互いに不適切に嵌合することが防止され得る。第１の導電性部材１２が一方の側に偏倚する配置に対応して、第２の電気コネクタ３の第２の導電性部材３２もまた、ハウジング３１の一方の側に偏倚する。図示されていない他の実施形態では、第１の導電性部材１２がベース本体１１の長さ方向の一方の側に偏倚する配置は、第１の電気コネクタ１が一方向にのみ適切に嵌合され得るという効果も達成し得ることに留意されたい。
【００２５】
図２、図３〜図７を参照すると、第１の磁気吸引部材１３はシート形状を有し、第１の磁気吸引部材１３には、上下方向に貫通する固定孔１３１が更に設けられる。２つの第１の磁気吸引部材１３は、ベース本体１１の２つの受容溝１１１内にそれぞれ固定され、受容溝１１１内の固定突出ポスト１１２は、固定孔１３１内に延在し、第１の磁気吸引部材１３と共に締結される。２つの第１の磁気吸引部材１３は、第１の電気コネクタ１と第２の電気コネクタ３とが互いに嵌合したときの磁気吸引の安定性を向上させるように、４つの第１の導電性部材１２の両側にそれぞれ位置付けられる。
【００２６】
第１の磁気吸引部材１３は、形状及びサイズが受容溝１１１と整合しており、第１の磁気吸引部材１３の上面は、ベース本体１１の上面と同一平面にあり、第１の磁気吸引部材１３のそれぞれの外側面も、ベース本体１１のそれぞれの外側面と同一平面にある。
【００２７】
第１の磁気吸引部材１３は、好ましくは、インサート成形プロセスによってベース本体１１と固定的に接続される。このとき、固定孔１３１と固定突出ポスト１１２との間の整合は、第１の磁気吸引部材１３の正確な位置決めを容易にし、同時に、第１の磁気吸引部材１３及びベース本体１１の接続面積を更に増加させ、それによって接続強度を改善し得る。
【００２８】
第１の磁気吸引部材１３は、好ましくは、軟鉄、シリコン鋼、ニッケル鉄合金などの強磁性材料で作製され、例えば、第１の磁気吸引部材１３は、磁性を有さないか、又は弱い磁性のみを有する鉄片であってもよく、それにより、第１の電気コネクタ１が電子デバイスに装着されたときに、第１の磁気吸引部材１３は電子デバイスの磁気部材と干渉しないことから、電子デバイスの性能が保証される。
【００２９】
図３〜図７を参照すると、弾性防水部材１４は、主本体１４１と、主本体１４１上に一体的に形成された４つの突出部１４２と、を含む。弾性防水部材１４の材料は、その材料特性のために特定の弾性変形を有し得るシリカゲルであり得る。
【００３０】
主本体１４１は、実質的に矩形の輪郭を有するシート状構造であり、ベース本体１１の凹溝１１３を充填する。主本体１４１の厚さは、凹溝１１３の深さよりもわずかに小さい。主本体１４１には、４つの貫通孔１４３が設けられ、貫通孔１４３の内径は、好ましくは第１の導電性部材１２の外径よりも小さく、４つの貫通孔１４３は、４つの第１の導電性部材１２の外周を１対１対応で水密に被覆し、それにより、外部水滴が貫通孔１４３と第１の導電性部材１２との間の協働する間隙に沿って浸透することを防止する。
【００３１】
突出部１４２は、実質的にリング形状を有し、主本体１４１の上面から上方に突出し、突出部１４２の上端部は、第１の磁気吸引部材１３の上面を越えて上方に延在する。４つの突出部１４２は、４つの貫通孔１４３にそれぞれ対応し、それぞれの突出部１４２は、それぞれの第１の導電性部材１２の嵌合端部１２１の外周側を取り囲むように、対応する貫通孔１４３を取り囲む。それぞれの第１の導電性部材１２の嵌合端部１２１は、それに対応して貫通孔１４３を貫通し、突出部１４２から上方に突出する。突出部１４２の直径は、突出部１４２と貫通孔１４３との間に一定の半径間隔が存在するように、好ましくは貫通孔１４３の直径よりも大きい。突出部１４２の壁の厚さは、突出部１４２の上端部が最小厚さを有するように、主本体１４１から離れる方向に徐々に小さくなり、これは、変形が発生するのにより便利である。
【００３２】
第１の電気コネクタ１が電子デバイスに適用されると、弾性防水部材１４の突出部１４２の上端部は、電子デバイスのケーシングの内面に当接し、それぞれの第１の導電性部材１２の嵌合端部１２１のみが、電子デバイスのケーシングに露出し、小型の開口部のみが電子デバイスのケーシング上に開放され得、それによって電子デバイスの防水能力が改善される（図１５を参照）。
【００３３】
この実施形態では、弾性防水部材１４は、それぞれの第１の導電性部材１２の嵌合端部１２１の外周側を取り囲む突出部１４２を有し、これにより、水滴が第１の導電性部材１２に沿って半径方向に電子デバイスの内部に浸入するのを防止することができ、防水能力を更に向上させる。
【００３４】
第１の電気コネクタ１を有する電子デバイスが第２の電気コネクタ３と嵌合されると、第１の電気コネクタ１の第１の磁気吸引部材１３及び第２の電気コネクタ３の第２の磁気吸引部材３３は、共に磁気吸引され、第１の電気コネクタ１の第１の導電性部材１２及び第２の電気コネクタ３の第２の導電性部材３２は、共に電気的に接続される。第２の電気コネクタ３の２つの第２の磁気吸引部材３３は磁石であり、同じ磁極方向に配置され（すなわち、２つの第２の磁気吸引部材３３は、両方のＳ極が上向きになるか、又は両方のＮ極が上向きになる）、第１の磁気吸引部材１３が鉄片であるとき、磁気的に嵌合されると、磁気線は、第２の磁気吸引部材３３のうちの１つと、第１の磁気吸引部材１３のうちの対応する吸引された１つとの間のみに閉鎖ループを形成し、第２の磁気吸引部材３３のうちの他方には行かない。他の可能な実施形態では、２つの第２の磁気吸引部材３３はまた、反対の磁極方向に配置されてもよい（すなわち、第２の磁気吸引部材３３のうちの一方はＮ極が上向きになり、第２の磁気吸引部材３３の他方はＳ極が上向きになる）。
【００３５】
第２の実施形態
図８〜図１０を参照すると、電気コネクタアセンブリの第２の実施形態は、互いに嵌合する第１の電気コネクタ１ａ及び第２の電気コネクタ３ａを備える。
【００３６】
第１の実施形態と同様に、第１の電気コネクタ１ａは、ベース本体１１ａと、ベース本体１１ａにそれぞれ固定された４つの第１の導電性部材１２ａと、２つの第１の磁気吸引部材１３ａと、弾性防水部材１４ａと、を含む。第２の電気コネクタ３ａは、ハウジング３１ａと、ハウジング３１ａに固定された４つの第２の導電性部材３２ａと、２つの第２の磁気吸引部材３３ａと、を含む。
【００３７】
第１の実施形態との違いは、図１０を参照すると、本実施形態では、４つの第１の導電性部材１２ａが、ベース本体１１ａの幅方向の中央に配置されることである。すなわち、４つの第１の導電性部材１２ａが配置された矩形形状の中心線は、図１０の中心線Ｌ３によって示されるように、ベース本体１１ａの中心線と一致している。また、４つの第１の導電性部材１２ａも、ベース本体１１ａの長さ方向の中央に配置され、それにより、４つの第１の導電性部材１２ａは、ベース本体１１の中心点Ｏ’に対して対称に配置される（すなわち、左上角の第１の導電性部材１２ａ及び右下角の第１の導電性部材１２ａは、中心点Ｏ’に対して対称であり、右上角の第１の導電性部材１２ａ及び左下角の第１の導電性部材１２ａは、中心点Ｏ’に対して対称である）。
【００３８】
第１の電気コネクタ１ａに対応して、第２の電気コネクタ３ａでも、４つの第２の導電性部材３２ａが、ハウジング３１ａの中心点に対してハウジング３１ａ上に対称的に配置される。これは、第１の電気コネクタ１ａ及び第２の電気コネクタ３ａを、２つの異なる方向（すなわち、ＵＳＢタイプＣコネクタと同様に１８０度逆さまにした双方向挿入）で嵌合させ得ることを達成するのに役立つ。
【００３９】
本実施形態の他の特徴は、第１の実施形態で言及されている場合があり、その説明はここでは繰り返されない。
【００４０】
加えて、本実施形態の第１の電気コネクタ１ａ及び第２の電気コネクタ３ａはまた、他の手段によって互いに不適切に嵌合されないことを確実にしてもよく、例えば、２つの第１の電気コネクタ１ａ及び第２の電気コネクタ３ａが一方向にのみ互いに適切に嵌合され得ることを実現させるため、電子デバイスのケーシング上にいくつかの間違えようのない構造（図示せず）が設けられてもよい。
【００４１】
第３の実施形態
図１１〜図１７を参照すると、電気コネクタアセンブリの第３の実施形態は、互いに嵌合する第１の電気コネクタ１ｂ及び第２の電気コネクタ３ｂを備える。
【００４２】
図１１〜図１４を参照すると、第２の電気コネクタ３ｂは、ハウジング３１ｂと、ハウジング３１ｂに固定された６つの第２の導電性部材３２ｂと、２つの第２の磁気吸引部材３３ｂと、を含む。６つの第２の導電性部材３２ｂは、ベース本体３１ｂの中心点に対して非対称に配置される。具体的には、６つの第２の導電性部材３２ｂは、２列に分割され、ハウジング３１ｂの長さ方向の中央部分に固定され、ハウジング３１ｂの幅方向の一方側に偏倚する（すなわち、６つの第２の導電性部材３２ｂが中心線から幅方向に偏倚するように配置される）。２つの第２の磁気吸引部材３３ｂは、ハウジング３１ｂの長さ方向の６つの第２の導電性部材３２ｂの両側にそれぞれ配置される。第１の実施形態との最大の違いは、本実施形態では、ハウジング３１ｂの幅方向の第２の導電性部材３２ｂの他方側に、上方に突出する位置決め突出部３１４ｂを有するハウジング３１ｂの上面が設けられていることである。第２の導電性部材３２ｂは、好ましくはポゴピンである。
【００４３】
図１２〜図１４及び図１６に示されるように、第１の電気コネクタ１ｂは、ベース本体１１ｂと、ベース本体１１ｂにそれぞれ固定された６つの第１の導電性部材１２ｂと、２つの第１の磁気吸引部材１３ｂと、弾性防水部材１４ｂと、を含む。第１の導電性部材１２ｂは、好ましくは、線切断により形成された導電性金属ポストである。
【００４４】
図１３を参照すると、第１の実施形態と同様に、基体１１ｂの上面には、長さ方向の両側のそれぞれに受容溝１１１ｂと、長さ方向の中央部分に凹溝１１３ｂと、が設けられる。
【００４５】
第１の実施の形態との違いは、本実施形態では、受容溝１１１ｂの周囲が閉じられているが、凹溝１１３ｂがベース本体１１ｂの幅方向の両側に貫通し、それにより、ベース本体１１ｂの中央部分がベース本体１１ｂの両側よりも低くなることである。加えて、凹溝１１３ｂは、ベース本体１１ｂの幅方向の一方の側に偏倚し、ベース本体１１ｂの上面は、凹溝１１３ｂの幅方向の他方の側で下方に陥凹した位置決め凹溝１１４ｂが凹設されており、位置決め凹溝１１４ｂの底面は、凹溝１１３ｂの底面よりも低い。位置決め凹溝１１４ｂは、第２の電気コネクタ３ｂの位置決め突出部３１４ｂに空間を提供して、第１の電気コネクタ１ｂ及び第２の電気コネクタ３ｂの正確な位置決めを容易にし得る。
【００４６】
図１２〜図１４及び図１６を組み合わせると、第１の磁気吸引部材１３ｂは受容溝１１１ｂ内に装着され、それぞれの第１の磁気吸引部材１３ｂの上面は、ベース本体１１ｂの上面と同一平面にある。本実施形態では、それぞれの受容溝１１１ｂに、４つの固定突出ポスト１１２ｂが設けられる。第１の磁気吸引部材１３ｂの４つの角部には、それに対応して４つの固定孔１３１ｂが設けられる。好ましくは、本実施形態では、それぞれの固定突出ポスト１１２ｂは、対応する固定孔１３１ｂ内に延在し、次いで、それぞれの固定突出ポスト１１２ｂの端部は、第１の磁気吸引部材１３ｂがベース本体１１ｂに固定されるように、熱溶解される。本実施形態では、第１の磁気吸引部材１３ｂはまた、インサート成形プロセスによってベース本体１１ｂに固定されてもよく、それぞれの第１の磁気吸引部材１３ｂには、インサート成形プロセスによる第１の磁気吸引部材１３ｂのベース本体１１ｂへの固定を容易にするために、金型ピン（図示せず）を挿入して位置決めするための２つの位置決め孔１３２ｂが更に設けられる。
【００４７】
６つの第１の導電性部材１２ｂは、２列に分割され、ベース本体１１ｂの長さ方向の中央部分に矩形形状に配置され、それぞれの第１の導電性部材１２ｂの嵌合端部１２１ｂは、凹溝１１３ｂ内に位置付けられ、ベース本体１１ｂの上面を越えて上方に延在する。６つの第１の導電性部材１２ｂは、第１の電気コネクタ１ｂの第１の導電性部材１２ｂ及び第２の電気コネクタ３ｂの第２の導電性部材３２ｂが唯一の方向にのみ互いに嵌合することができるように、ベース本体１１ｂの中心線から偏倚するように配置される。
【００４８】
弾性防水部材１４ｂは、主本体１４１ｂと、主本体１４１ｂに一体的に形成され、主本体１４１ｂから上方に突出している突出部１４４ｂと、を含む。本実施形態では、突出部１４４ｂは、主本体１４１ｂの外周に沿って設けられ、突出部１４２は、それぞれの貫通孔１４３ｂに対応して別々に設けられない。突出部１４４ｂは、６つの第１の導電性部材１２ｂを全体として取り囲み、また、第１の導電性部材１２ｂが位置付けられている領域の内側と外側との間の水蒸気伝導経路を遮断する働きをする。主本体１４１ｂの下面は、結合又は他の実行可能な手段によって、ベース本体１１ｂに固定されてもよい。突出部１４４ｂの上端部は、第１の磁気吸引部材１３ｂの上面を越えて延在する。
【００４９】
本実施形態に記載されていない他の技術的特徴は、第１の実施形態で言及されている場合があり、その説明は繰り返されない。
【００５０】
図１５〜図１７を参照すると、本実施形態の第１の電気コネクタ１ｂが電子デバイスに適用されるとき、第１の電気コネクタ１ｂは、回路基板２ｂに装着され、電子デバイスのケーシング５ｂ（図示されているケーシング５ｂは、簡略化された例に過ぎない）内に位置付けられる。回路基板２ｂには、第１の電気コネクタ１ｂのそれぞれの側に位置決め貫通孔２１ｂが設けられる。それに対応して、２つの位置決め突出ポスト５１ｂがケーシング５ｂの内面から突出し、位置決め突出ポスト５１ｂ及び位置決め貫通孔２１ｂは、互いに協働し、また、回路基板２ｂ及びケーシング５ｂの組み立ての正確な位置決めを容易にするために、ねじで一緒にロックされてもよい。
【００５１】
ケーシング５ｂには、６つの貫通孔５２ｂが設けられる。第１の電気コネクタ１ｂの６つの第１の導電性部材１２ｂの嵌合端部は、それに応じて、６つの貫通孔５２ｂ内に延在し、第１の導電性部材１２ｂの嵌合端部の端面は、電子デバイスの表面上に露出され、それによって、第２の電気コネクタ３ｂの第２の導電性部材３２ｂと電気的に接続され得る。
【００５２】
ケーシング５ｂには、６つの貫通孔５２ｂの一方の側にある、電子デバイスの内面に向かって陥凹した沈み溝５４ｂが更に設けられ、沈み溝５４ｂの底面は閉じられている。沈み溝５４ｂは、第１の電気コネクタ１ｂの位置決め凹溝１１４ｂ内に延在する。沈み溝５４ｂは、それに対応して、第２の電気コネクタ３ｂの位置決め突出部３１４ｂを受容して、電子デバイス及び第２の電気コネクタ３ｂの正確な嵌合を容易にし得る。
【００５３】
電子デバイスにおいて、ケーシング５ｂでは、第１の電気コネクタ１ｂが第２の電気コネクタ３ｂと嵌合することを可能にするために貫通孔５２ｂを開けるだけでよく、第１のコネクタ１ｂの弾性防水部材１４ｂは、ケーシング５ｂの内面に弾性的に当接し、弾性防水部材１４ｂの貫通孔１４３ｂは、第１の導電性部材１２ｂと水密に協働して、貫通孔１４３ｂと第１の導電性部材１２ｂとの間の協働する間隙に沿って水蒸気が浸透することを防止し、同時に、弾性防水部材１４ｂの突出部１４４ｂは、貫通孔５２ｂ及び第１の導電性部材１２ｂを取り囲み、貫通孔５２ｂを通って浸入する水蒸気が電子デバイスの内部に更に浸入することを阻止し、それによって、電子デバイスの防水機能を改善する。
【００５４】
上記の実施形態によれば、本開示の第１の電気コネクタ１／１ａ／１ｂが電子デバイスに適用されると、それぞれの第１の導電性部材１２／１２ａ／１２ｂの嵌合端部１２１／１２１ａ／１２１ｂのみが電子デバイスのケーシングから外側に延在し、電子デバイスのケーシングでは、それぞれの第１の導電性部材１２／１２ａ／１２ｂの嵌合端部１２１／１２１ａ／１２１ｂを外向きに露出させるために貫通孔を開けるだけでよい。先行技術と比較して、本実施形態の第１の電気コネクタ１／１ａ／１ｂを使用するとき、電子デバイスのケーシング上の開口部をより小さく設定することができ、これは、ケーシングの全体的な構造強度を向上させ、外面を滑らかかつ美しい状態に維持し、外部水蒸気が電子デバイスの内部に浸入する手段を低減させるために有益である。また、同時に、弾性防水部材１４／１４ａ／１４ｂは、電子デバイスのケーシングの内面に当接して、外部水蒸気を遮断し、外部水蒸気が電子デバイスの内部に浸入するのを効果的に防止し、それにより、電子デバイスの防水機能を改善し得る。
【００５５】
上記の内容は、本開示のあくまでも好ましい実施形態であり、本開示の実施解決策を限定することを意図しておらず、当業者は、本開示の主要な概念及び趣旨に従って、様々な改変又は変更を都合よく実行することができ、したがって、本開示の範囲は、特許請求の範囲によって決定されるべきである。
【図１】
2020109759.tif 000003
【図２】
2020109759.tif 000004
【図３】
2020109759.tif 000005
【図４】
2020109759.tif 000006
【図５】
2020109759.tif 000007
【図６】
2020109759.tif 000008
【図７】
2020109759.tif 000009
【図８】
2020109759.tif 000010
【図９】
2020109759.tif 000011
【図１０】
2020109759.tif 000012
【図１１】
2020109759.tif 000013
【図１２】
2020109759.tif 000014
【図１３】
2020109759.tif 000015
【図１４】
2020109759.tif 000016
【図１５】
2020109759.tif 000017
【図１６】
2020109759.tif 000018
【図１７】
2020109759.tif 000019